(57)【要約】【課題】分周比を少数点以下の値に設定して出力するようにした、構成において簡易な分周器の分周比出力装置を提供する。【解決手段】分周比を算出するための基準値を小数点ｎ位までの値６５．６に設定する基準値設定器１２、設定された基準値を整数部６５とｎ位の小数０．６とに分割して出力する整数／少数分割器１４ａ、出力された少数を入力して加算し、加算された小数が整数１以上の値となったとき、整数１として出力する少数部加算器１４ｂ、および出力された整数部の値を入力し、整数１が出力されるときは整数１を入力した整数部の値に加算する一方、整数１が出力されないときは前記入力した整数部の値をそのまま出力する分周比加算器１４ｃを備え、出力された値を分周比とし、その分周比で入力信号（回転センサ２２の出力パルス）を分周して出力信号を発生する。【選択図】  図１
2004364123.tif 000002
【特許請求の範囲】
【請求項１】
入力信号の周波数を分周して低減した周波数の出力信号を発生する分周器の分周比を出力する装置において、前記分周比を算出するための基準値を小数点ｎ位までの値に設定する基準値設定手段、前記設定された基準値を整数部と前記ｎ位の小数とに分割して出力する分割手段、前記出力された少数を入力して加算し、加算された小数が整数ｍ以上の値となったとき、整数ｍとして出力する加算手段、および前記出力された整数部の値を入力し、前記少数加算手段から整数ｍが出力されるときは前記整数ｍを前記入力した整数部の値に加算する一方、前記少数加算手段から前記整数ｍが出力されないときは前記入力した整数部の値をそのまま出力する出力手段を備え、前記出力された値を前記分周比として前記入力信号を分周して前記出力信号を発生するように構成したことを特徴とする分周器の分周比出力装置。
【請求項２】
入力信号の周波数を分周して低減した周波数の出力信号を発生する分周器の分周比を出力する装置において、前記分周比を算出するための基準値を小数点ｎ位までの値に設定する基準値設定手段、前記設定された基準値を１０のｎ乗倍して整数化する整数化手段、および前記整数化された値を加算して得た値と前回までの加算値の双方を前記１０のｎ乗で除すると共に、その差を出力する出力手段を備え、前記出力された値を前記分周比として前記入力信号を分周して前記出力信号を発生するように構成したことを特徴とする分周器の分周比出力装置。
【請求項３】
入力信号の周波数を分周して低減した周波数の出力信号を発生する分周器の分周比を出力する装置において、前記分周比を算出するための基準値を小数点ｎ位までの値に設定する基準値設定手段、前記設定された基準値を１０のｎ乗倍して整数化する整数化手段、および前記整数化された値に、前回整数化された値を前記１０のｎ乗で除したときの余りを加算し、得た和を前記１０のｎ乗で除し、よって得た商を出力する出力手段を備え、前記出力された値を前記分周比として前記入力信号を分周して前記出力信号を発生するように構成したことを特徴とする分周器の分周比出力装置。
【請求項４】
前記出力手段の出力を所定回数分予め求めておいて順次出力するように構成したことを特徴とする請求項１項から３項のいずれかに記載の分周器の分周比出力装置。
【請求項５】
前記基準値設定手段は、前記入力信号を発生する機器の作動環境に応じて前記設定する基準値を補正することを特徴とする請求項１項から４項のいずれかに記載の分周器の分周比出力装置。
【発明の詳細な説明】
【０００１】
【発明の属する技術分野】
この発明は分周器の分周比出力装置に関する。
【０００２】
【従来の技術】
分周器は、入力信号の周波数を分周し、入力信号の周波数を低減した周波数の出力信号を生じるが、分周比は整数に限られず、小数点までの値に設定されることがある。本出願人も先に特許文献１に記載の技術を提案している。
【０００３】
【特許文献１】
特許第２８２１９８２号公報
【０００４】
特許文献１に記載の技術にあっては、分周比を算出するための基準値が少数点１位までの値に設定された場合、その値の整数部分をｎ、少数部分をｘとすると、（１０−ｘ）個の整数値ｎとｘ個の整数値（ｎ＋１）からなる計１０個の整数値をメモリにランダムに格納しておいて順次出力することで、所定回数を通算して得られる値が設定された少数点１位までの分周比となるように構成している。
【０００５】
【発明が解決しようとする課題】
このように従来技術に係る分周器の分周比出力装置においては、基準値が設定される度に２種の異なる整数を乱数として算出する必要があるため、構成が複雑となる不都合があった。
【０００６】
この発明の目的は上記した不都合を解消し、簡易な構成でありながら、少数点以下の分周比を的確に出力し、出力した分周比で入力信号を分周することで所期の検出精度を得られるようにした分周器の分周比出力装置を提供することにある。
【０００７】
【課題を解決するための手段】
上記の目的を達成するために、請求項１項にあっては、入力信号の周波数を分周して低減した周波数の出力信号を発生する分周器の分周比を出力する装置において、前記分周比を算出するための基準値を小数点ｎ位までの値に設定する基準値設定手段、前記設定された基準値を整数部と前記ｎ位の小数とに分割して出力する分割手段、前記出力された少数を入力して加算し、加算された小数が整数ｍ以上の値となったとき、整数ｍとして出力する加算手段、および前記出力された整数部の値を入力し、前記少数加算手段から整数ｍが出力されるときは前記整数ｍを前記入力した整数部の値に加算する一方、前記少数加算手段から前記整数ｍが出力されないときは前記入力した整数部の値をそのまま出力する出力手段を備え、前記出力された値を前記分周比として前記入力信号を分周して前記出力信号を発生するように構成した。
【０００８】
分周比を算出するための基準値を小数点ｎ位までの値に設定し、設定された基準値を整数部とｎ位の小数とに分割して出力し、出力された少数を入力して加算し、加算された小数が整数ｍ以上の値となったとき、整数ｍとして出力し、出力された整数部の値を入力し、整数ｍが出力されるときは整数ｍを入力した整数部の値に加算する一方、整数ｍが出力されないときは入力した整数部の値をそのまま出力し、出力された値を分周比として入力信号を分周して出力信号を発生するように構成したので、簡易な構成でありながら、少数点以下の分周比を的確に出力することができ、出力した分周比で入力信号を分周することで所期の検出精度を得ることができる。それによって、例えば、分周比の検出精度への影響が大きくなる入力信号の発生間隔が長い場合であっても、誤差を最小にすることができ、所期の検出精度を得ることができる。
【０００９】
請求項２項にあっては、入力信号の周波数を分周して低減した周波数の出力信号を発生する分周器の分周比を出力する装置において、前記分周比を算出するための基準値を小数点ｎ位までの値に設定する基準値設定手段、前記設定された基準値を１０のｎ乗倍して整数化する整数化手段、および前記整数化された値を加算して得た値と前回までの加算値の双方を前記１０のｎ乗で除すると共に、その差を出力する出力手段を備え、前記出力された値を前記分周比として前記入力信号を分周して前記出力信号を発生するように構成した。
【００１０】
同様に、設定された基準値を１０のｎ乗倍して整数化し、整数化された値を加算して得た値と前回までの加算値の双方を１０のｎ乗で除すると共に、その差を出力し、出力された値を分周比として入力信号を分周して出力信号を発生するように構成したので、簡易な構成でありながら、少数点以下の分周比を的確に出力することができ、出力した分周比で入力信号を分周することで所期の検出精度を得ることができる。それによって、例えば、分周比の検出精度への影響が大きくなる入力信号の発生間隔が長い場合であっても、誤差を最小にすることができ、所期の検出精度を得ることができる。
【００１１】
請求項３項にあっては、入力信号の周波数を分周して低減した周波数の出力信号を発生する分周器の分周比を出力する装置において、前記分周比を算出するための基準値を小数点ｎ位までの値に設定する基準値設定手段、前記設定された基準値を１０のｎ乗倍して整数化する整数化手段、および前記整数化された値に、前回整数化された値を前記１０のｎ乗で除したときの余りを加算し、得た和を前記１０のｎ乗で除し、よって得た商を出力する出力手段を備え、前記出力された値を前記分周比として前記入力信号を分周して前記出力信号を発生するように構成した。
【００１２】
同様に、設定された基準値を１０のｎ乗倍して整数化し、整数化された値に、前回整数化された値を前記１０のｎ乗で除したときの余りを加算し、得た和を前記１０のｎ乗で除し、よって得た商を出力し、出力された値を分周比として入力信号を分周して出力信号を発生するように構成したので、簡易な構成でありながら、少数点以下の分周比を的確に出力することができ、出力した分周比で入力信号を分周することで所期の検出精度を得ることができる。それによって、例えば、分周比の検出精度への影響が大きくなる入力信号の発生間隔が長い場合であっても、誤差を最小にすることができ、所期の検出精度を得ることができる。
【００１３】
請求項４項にあっては、前記出力手段の出力を所定回数分予め求めておいて順次出力するように構成した。
【００１４】
出力手段の出力を所定回数分予め求めておいて順次出力するように構成したので、前記した効果に加え、構成を一層簡易にすることができる。
【００１５】
請求項５項にあっては、前記基準値設定手段は、前記入力信号を発生する機器の作動環境あるいは作動状態に応じて前記設定する基準値を補正するように構成した。
【００１６】
入力信号を発生する機器の作動環境に応じて設定する基準値を補正するように構成したので、回転センサなどの入力信号を発生する機器において入力信号の発生間隔が長い、換言すれば、分周比の検出精度への影響が大きくなるような作動環境あるいは作動状態にある場合、分周比を算出するための基準値を適宜補正することで誤差を最小にすることができ、所期の検出精度を得ることができる。
【００１７】
【発明の実施の形態】
以下、添付図面に即してこの発明の一つの実施の形態に係る分周器の分周比出力装置について説明する。
【００１８】
図１は、その実施の形態に係る分周器の分周比出力装置の全体構成を示す概略図である。
【００１９】
同図において符合１０は入力信号の周波数を分周して低減した周波数の出力信号を発生する分周器の分周比出力装置を示す。装置１０は具体的にはマイクロコンピュータからなり、分周比算出するための基準値を小数点ｎ位、より具体的には６５．６などと少数点１位までの値に設定する基準値設定器（基準値設定手段）１２と、設定された基準値を整数化して分周比として出力する整数化器１４と、入力信号を発生する機器の作動環境あるいは作動状態を検出する作動環境検出器１６とを備える。
【００２０】
以下、車両の走行速度（車輪速）を示すスピードメータ（図示せず）の信号を分周する場合を例にとって分周比出力装置１０の構成を説明する。
【００２１】
図示の如く、模式的に示す車両１８のディファレンシャルギヤ（図示せず）の付近にはパルサ２０が配置されると共に、それに対向する位置には電磁ピックアップからなる回転センサ（入力信号発生機器）２２が配置される。パルサ２０は４０から５０程度の歯数を備え、回転センサ２２は、ディレンシャルギヤの１回転当たり、その歯数に相応した個数のパルスからなる矩形波信号を出力する。
【００２２】
出力された矩形波信号は波形整形器２４に入力されて波形整形され、波形整形されたセンサ出力（パルス）は次いでパルスカウンタ２６に入力され、そこでパルスがカウントされる。よって得られたカウント値は比較器３０に入力され、そこで整数化器１４の出力と比較される。この実施の形態において、基準値は例えば６５．６という少数を含む値に設定されるが、整数化器１４は後述のようにその基準値を６５あるいは６６という整数からなる分周比として出力する。
【００２３】
比較器３０は入力されたカウント値とその整数（分周比）とを比較し、両者が一致するとき、出力を生じてＰＷＭ出力回路３２に送る。即ち、比較器３０は、入力パルス数が６５個あるいは６６個に達するたび、出力（例えばパルス）を出力する。その出力はＰＷＭ出力回路３２に送られ、ＰＷＭ出力回路は比較器出力に基づき、スピードメータ（アナログメータ）の針（図示せず）の駆動回路にＰＷＭ（パルス幅変調）信号を生成して出力し、針を駆動する。この実施の形態において分周器は、分周比出力装置１０および回転センサ２２、パルスカウンタ２６ならびに比較器３０などから構成される。
【００２４】
ここで、車両１８のタイヤ３４にはタイヤ空気圧センサ３６が配置されてタイヤに充填されている空気圧を示す信号を出力すると共に、サスペンション（図示せず）の付近にはストロークセンサ４０が配置され、サスペンションの変位、より具体的には車両の積載荷重（乗員による荷重を含む）に応じた信号を出力する（タイヤ空気圧センサ３６およびストロークセンサ４０は前輪側の１つについてのみ図示する）。さらに、車両１８のエンジンルーム（図示せず）の適宜位置には外気温センサ４２が配置され、外気温に比例した信号を出力する。
【００２５】
これらセンサ群の出力は、作動環境検出器１６に入力される。また、ＰＷＭ出力回路３２の出力も、作動環境検出器１６に入力される。作動環境検出器１６はセンサ群の出力から、空気圧（タイヤ空気圧）、荷重（積載荷重）、外気温を検出すると共に、ＰＷＭ出力回路３２の出力をカウントして車輪速（車速）を検出する。
【００２６】
これらの検出値は入力信号を発生する機器、即ち、回転センサ２２の作動環境あるいは作動状態を示す値である。これらの検出値は、図１に示す如く、基準値設定器１２に送られる。
【００２７】
基準値設定器１２は、車輪速（車速）の検出あるいは表示に関する法令の規定などに従い、所期の検出精度が得られるように、分周比を前記したように６５．６などと少数点１位までの値に設定する。尚、車輪速は低いほど入力信号の間隔が長くなって分周比が検出精度に与える影響が大きいと共に、空気圧（タイヤ空気圧）あるいは積載荷重さらには外気温によってもタイヤの変形量が異なることから、それらの検出値に応じて設定する分周比を適宜増減して補正する。尚、基準値の設定および補正は後述する所定回数（１０回）あるいは所定時間ごとに行われる。
【００２８】
次いで、整数化器１４の構成を説明する。尚、整数化器１４を、図示の如く、機能的に示す。
【００２９】
その整数化器１４は、６５．６と設定された基準値を整数部６５と少数点１位（ｎ位）の０．６とに分割して出力する整数／少数分割器（分割手段）１４ａ、出力された少数０．６を入力して加算し、加算された小数が整数ｍ以上の値、具体的には１以上となったとき、１（整数ｍ）として出力する小数部加算器（加算手段）１４ｂ、出力された整数部の値６５を入力し、少数部加算器１４ｂから１（整数ｍ）が出力されるときは１（整数ｍ）を入力した整数部の値６５に加算する一方、小数部加算器１４ｂから１（整数ｍ）が出力されないときは入力した整数部の値６５をそのまま出力する分周比加算器（出力手段）１４ｃを備える。
【００３０】
所定回数（１０回）における分周比加算器１４ｃの出力を通算して得られる値は、前記した少数点１位（ｎ位）までの値６５．６と等しくなる。分周器においては、出力された値を分周比として前記した回転センサ２２からの入力信号を分周して出力信号を発生し、ＰＷＭ出力回路に出力する。
【００３１】
図２は整数化器１４の中の、少数部加算器１４ｂと分周比加算器１４ｃの動作（演算）を示す説明図であり、図３はその結果整数化器１４（具体的には分周比加算器１４ｃ）から出力される値（分周比）を所定回数（１０回）にわたって示す説明図である。尚、少数部加算器１４ｂの出力をＳＵＭＭＯＤ、分周比加算器１４ｃの出力を＃ＦＢＫＶＳＰと示すと共に、回数をｉと示す。また、図２において、少数点１位を「，１０」と示す。
【００３２】
かかる構成により、図３に示される如く、整数化部１４から出力される値（分周比）は、ｎ＝１とするとき、１０のｎ乗回、即ち、１０回の中、６６が６回、６５が４回となるので、１０回の分周比を通算すると、６５．６となる。この結果、小数点１位までの分周比を的確に出力することができ、低車輪速のような入力信号の発生間隔が長い場合であっても、所期の精度を得ることができる。また、構成としても簡易である。
【００３３】
尚、この実施の形態では少数点ｎ位、即ち、１位までの分周比を設定したが、少数点ｎ位として２位までの分周比を設定する場合、少数点２桁までの値を加算して１になった時点で出力すれば良く、従って、１０のｎ乗（ｎ＝２）倍に相当する回数、即ち、１００回の出力を通算することで、少数点２位までの分周比を出力することができる。
【００３４】
さらに、ｎが３以上となった場合も同様である。また、整数ｍを１としたが、所定回数の値を適宜変更すれば、２以上であっても良い。
【００３５】
また、設定する分周比の値を回転センサ２２の作動環境あるいは作動状態に応じて補正するように構成したので、作動環境あるいは作動状態、即ち、車輪速（車速）、空気圧（タイヤ空気圧）、荷重（積載荷重）、外気温に応じて分周比設定器１２で設定する分周比を適宜補正することができ、検出精度、特に入力信号の間隔が長い低車輪速などにおける検出精度を一層向上させることができる。
【００３６】
図４はこの発明の第２の実施の形態に係る分周器の分周比出力装置を示す、図１と部分的に類似する概略図であり、図５はその整数化器１４の動作（演算）を示す、図２と同様の説明図である。
【００３７】
第２の実施の形態に係る装置において、整数化器１４は、設定された基準値６５．６を１０のｎ乗倍して６５６に整数化して出力する乗算器（整数化手段）１４ｄ、整数化された値６５６を加算する加算器１４ｅ、加算して得た値（ＳＵＭＭＯＤ）と前回までの加算値の双方を前記１０のｎ乗で除する除算器１４ｆを備えると共に、その差を求めて出力（＃ＦＢＫＶＳＰ）する減算器（出力手段）１４ｇを備え、所定回数（１０回）における減算器１４ｇの出力を通算して得られる値が、前記した少数点１位（ｎ位）までの値６５．６と等しくなるようにした。分周器においては、出力された値を分周比として前記した回転センサ２２からの入力信号を分周して出力信号を発生し、ＰＷＭ出力回路に出力する。尚、残余の構成は、第１の実施の形態と同様である。
【００３８】
かかる構成により、図５に示される如く、１０回の分周比を通算すると、６５．６となる結果、第１の実施の形態と同様、小数点１位までの分周比を的確に出力することができ、低車輪速であっても、所期の精度を得ることができる。また、構成としても簡易である。尚、少数点ｎ位（ｎ≧２）の場合も１０のｎ乗（ｎ≧２）回の出力を通算することで予定する分周比を出力できることも、第１の実施の形態と同様である。
【００３９】
図６はこの発明の第３の実施の形態に係る分周器の分周比出力装置を示す、図１と部分的に類似する概略図であり、図７はその整数化器１４の動作（演算）を示す、図２と同様の説明図である。
【００４０】
第３の実施の形態に係る装置において、整数化器１４は、設定された基準値６５．６を１０のｎ乗倍して整数化する乗算器１４ｈ（整数化手段）、および整数化された値に、前回整数化された値を前記１０のｎ乗で除したときの余りを加算する加算器１４ｉ、得た和を前記１０のｎ乗で除し、よって得た商を出力する乗算器１４ｊ（出力手段）を備え、所定回数（１０回）における除算器１４ｊの出力を通算して得られる値が、前記した少数点１位（ｎ位）までの値６５．６と等しくなるようにした。分周器においては、出力された値を分周比として前記した回転センサ２２からの入力信号を分周して出力信号を発生し、ＰＷＭ出力回路に出力する。尚、残余の構成は、第１の実施の形態と同様である。
【００４１】
かかる構成により、図７に示される如く、１０回の分周比を通算すると、６５．６となる結果、第１の実施の形態と同様、小数点１位までの分周比を的確に出力することができ、低車輪速であっても、所期の精度を得ることができる。また、構成としても簡易である。尚、少数点ｎ位（ｎ≧２）の場合も１０のｎ乗（ｎ≧２）の出力を通算することで予定する分周比を出力できることも、第１の実施の形態と同様である。
【００４２】
図８は、この発明の第４の実施の形態に係る分周器の分周比出力装置の構成を示す、図１と同様の概略図である。
【００４３】
図示の如く、第４の実施の形態においては、整数化器１４を所定回数に相当する個数の１から１０個まで備え、所定回数（１０回）における出力＃ＦＢＫＶＳＰ（整数化器１４の出力）を予め求めておき、順次出力するように構成した。
【００４４】
第４の実施の形態は、従前の実施の形態に比し、構成が一層簡易となる利点を備える。尚、第４の実施の形態においてセンサ群および作動環境検出器１６などの図示を省略したが、実際にもそれらを除去してさらに一層構成を簡易としても良く、あるいは残置して設定する基準値を補正するようにしても良い。
【００４５】
第１から第４の実施の形態は上記の如く、入力信号の周波数を分周して低減した周波数の出力信号を発生する分周器の分周比を出力する装置（分周比出力装置）１０において、前記分周比を算出するための基準値を小数点ｎ位までの値６５．６に設定する基準値設定手段（基準値設定器１２）、前記設定された基準値を整数部６５と前記ｎ位の小数０．６とに分割して出力する分割手段（整数化器１４の整数／少数分割器１４ａ）、前記出力された少数を入力して加算し、加算された小数が整数ｍ以上の値となったとき、整数ｍとして出力する加算手段（整数化器１４の少数部加算器１４ｂ）、および前記出力された整数部の値を入力し、前記少数加算手段から整数ｍが出力されるときは前記整数ｍを前記入力した整数部の値に加算する一方、前記少数加算手段から前記整数ｍが出力されないときは前記入力した整数部の値をそのまま出力する出力手段（整数化器１４の分周比加算器１４ｃ）を備え、前記出力された値を前記分周比として前記入力信号を分周して前記出力信号を発生するように構成した。
【００４６】
また、入力信号の周波数を分周して低減した周波数の出力信号を発生する分周器の分周比を出力する装置（分周比出力装置）１０において、前記分周比を算出するための基準値を小数点ｎ位までの値に設定する基準値設定手段（基準値設定器１２）、前記設定された分周比を１０のｎ乗倍して整数化して出力する整数化手段（整数化器１４の乗算器１４ｄ）、および前記整数化された値を加算して得た値と前回までの加算値の双方を前記１０のｎ乗で除すると共に、その差を出力する出力手段（整数化器１４の加算器１４ｅ、除算器１４ｆおよび減算器１４ｇ）を備え、前記出力された値を前記分周比として前記入力信号を分周して前記出力信号を発生するように構成した。
【００４７】
また、入力信号の周波数を分周して低減した周波数の出力信号を発生する分周器の分周比を出力する装置（分周比出力装置）１０において、前記分周比を算出するための基準値を小数点ｎ位までの値に設定する基準値設定手段（基準値設定器１２）、前記設定された基準値を１０のｎ乗倍して整数化する整数化手段（整数化器１４の乗算器１４ｈ）、および前記整数化された値に、前回整数化された値を前記１０のｎ乗で除したときの余りを加算し、得た和を前記１０のｎ乗で除し、よって得た商を出力する出力手段（整数化器１４の加算器１４ｉおよび除算器１４ｊ）を備え、前記出力された値を前記分周比として前記入力信号を分周して前記出力信号を発生するように構成した。
【００４８】
また、前記出力手段（整数化器１４分周比加算器１４ｃなど）の出力＃ＦＢＫＶＳＰを所定回数（１０回）分予め求めておいて順次出力するように構成した。
【００４９】
また、前記基準値設定手段は、前記入力信号を発生する機器（回転センサ２２）の作動環境あるいは作動状態に応じて前記設定する基準値を補正するように構成した。
【００５０】
尚、この発明を車両用のスピードメータ（車輪速信号）において回転センサ２２の出力を分周する場合を例にとって説明したが、この発明はそれに限られものでなく、周期的な入力信号の周波数を分周する分周器ならば、どのようなものにも利用可能である。
【００５１】
【発明の効果】
請求項１項にあっては、簡易な構成でありながら、少数点以下の分周比を的確に出力することができ、出力した分周比で入力信号を分周することで所期の検出精度を得ることができる。それによって、例えば、分周比の検出精度への影響が大きくなる入力信号の発生間隔が長い場合であっても、誤差を最小にすることができ、所期の検出精度を得ることができる。
【００５２】
請求項２項にあっては、同様に、簡易な構成でありながら、少数点以下の分周比を的確に出力することができ、出力した分周比で入力信号を分周することで所期の検出精度を得ることができる。それによって、例えば、分周比の検出精度への影響が大きくなる入力信号の発生間隔が長い場合であっても、誤差を最小にすることができ、所期の検出精度を得ることができる。
【００５３】
請求項３項にあっては、同様に、簡易な構成でありながら、少数点以下の分周比を的確に出力することができ、出力した分周比で入力信号を分周することで所期の検出精度を得ることができる。それによって、例えば、分周比の検出精度への影響が大きくなる入力信号の発生間隔が長い場合であっても、誤差を最小にすることができ、所期の検出精度を得ることができる。
【００５４】
請求項４項にあっては、前記した効果に加え、構成を一層簡易にすることができる。
【００５５】
請求項５項にあっては、回転センサなどの入力信号を発生する機器において入力信号の発生間隔が長い、換言すれば、分周比の検出精度への影響が大きくなるような作動環境あるいは作動状態にある場合、分周比を算出するための基準値を適宜補正することで誤差を最小にすることができ、所期の検出精度を得ることができる。
【図面の簡単な説明】
【図１】この発明の一つの実施の形態に係る分周器の分周比出力装置の全体構成を示す概略図である。
【図２】図１に示す装置のうち、整数化器（より具体的にはその中の少数部加算器と分周比加算器）の動作（演算）を示す説明図である。
【図３】図２に示す整数化器（より具体的には分周比加算器）から出力される値（分周比）を所定回数（１０回）にわたって示す説明図である。
【図４】この発明の第２の実施の形態に係る分周器の分周比出力装置を示す、図１と部分的に類似する概略図である。
【図５】図４に示す装置の整数化器の動作（演算）を示す、図２と同様の説明図である。
【図６】この発明の第３の実施の形態に係る分周器の分周比出力装置を示す、図１と部分的に類似する概略図である。
【図７】図６に示す装置の整数化器の動作（演算）を示す、図２と同様の説明図である。
【図８】この発明の第４の実施の形態に係る分周器の分周比出力装置を示す、図１と同様な概略図である。
【符号の説明】
１０  分周比出力装置
１２  基準値設定器（基準値設定手段）
１４  整数化器（出力手段など）
１６  作動環境検出器
２２  回転センサ（入力信号発生機器）
２６  パルスカウンタ
３０  比較器
３２  ＰＷＭ出力回路
【図１】
2004364123.tif 000003
【図２】
2004364123.tif 000004
【図３】
2004364123.tif 000005
【図４】
2004364123.tif 000006
【図５】
2004364123.tif 000007
【図６】
2004364123.tif 000008
【図７】
2004364123.tif 000009
【図８】
2004364123.tif 000010